(57)【要約】【課題】三連ローラで原稿の斜行の補正を行う画像読取装置であって、原稿の読取効率が低下することを防止した構成を提供する。【解決手段】イメージスキャナ装置（画像読取装置）は、スキャナユニットと、三連ローラ３３を構成する、駆動ローラ３３１、従動レジストローラ３３２、従動搬送ローラ３３３を備える。スキャナユニットは、原稿の第１面及び第２面の読取りを行う。従動レジストローラ３３２は、駆動ローラ３３１とともに、原稿をニップした状態で回転することで読取りがされていない原稿をスキャナユニットへ搬送するとともに、原稿の斜行を補正する。従動搬送ローラ３３３は、駆動ローラ３３１とともに原稿をニップした状態で回転することで、両面が読み取られた原稿を搬送する。従動搬送ローラ３３３は、駆動ローラ３３１から離れた状態と、駆動ローラ３３１と接触して従動回転する状態と、に切替可能である。【選択図】図７
2013227113.tif 000002
【特許請求の範囲】
【請求項１】
原稿の第１面及び第２面の読取りを行う読取部と、
三連ローラのうちの１つである駆動ローラと、
前記三連ローラのうちの１つであって、前記駆動ローラとともに、原稿をニップした状態で回転することで読取りがされていない原稿を前記読取部へ搬送するとともに、原稿の斜行を補正する従動レジストローラと、
前記三連ローラのうちの１つであって、前記駆動ローラとともに原稿をニップした状態で回転することで、両面が読み取られた原稿を搬送する従動搬送ローラと、
を備え、
前記従動レジストローラ及び前記従動搬送ローラの少なくとも一方は、前記駆動ローラから離れた状態と、前記駆動ローラと接触して従動回転する状態と、に切替可能であることを特徴とする画像読取装置。
【請求項２】
請求項１に記載の画像読取装置であって、
前記従動レジストローラ及び前記従動搬送ローラのうち、前記従動搬送ローラが、前記駆動ローラから離れた状態と、前記駆動ローラと接触して従動回転する状態と、に切替可能であることを特徴とする画像読取装置。
【請求項３】
請求項２に記載の画像読取装置であって、
原稿の搬送方向の長さを検出する長さ検出部を備え、
前記長さ検出部が検出した原稿の長さが所定以下である場合は、
両面が読み取られた原稿の先端が、当該従動搬送ローラの下流のローラにニップされたタイミングで、前記従動搬送ローラを前記駆動ローラから離すことを特徴とする画像読取装置。
【請求項４】
請求項２又は３に記載の画像読取装置であって、
原稿の搬送方向の長さを検出する長さ検出部を備え、
前記長さ検出部が検出した原稿の長さが所定以上である場合は、
前記従動搬送ローラは、少なくとも当該原稿が通過するまでは、前記駆動ローラから離れた状態にあることを特徴とする画像読取装置。
【請求項５】
請求項２から４までの何れか一項に記載の画像読取装置であって、
前記駆動ローラ及び前記従動レジストローラが原稿の斜行を補正している間は、前記従動搬送ローラが前記駆動ローラから離れた状態にあることを特徴とする画像読取装置。
【請求項６】
三連ローラのうちの１つである駆動ローラと、
前記三連ローラのうちの１つであって、前記駆動ローラとともに、原稿をニップした状態で回転することで読取りがされていない原稿を読取部へ搬送するとともに、原稿の斜行を補正する従動レジストローラと、
前記三連ローラのうちの１つであって、前記駆動ローラとともに原稿をニップした状態で回転することで、両面が読み取られた原稿を搬送する従動搬送ローラと、
を備え、
前記従動レジストローラ及び前記従動搬送ローラの少なくとも一方は、前記駆動ローラから離れた状態と、前記駆動ローラと接触して従動回転する状態と、を切替可能であることを特徴とする自動原稿搬送装置。
【発明の詳細な説明】
【技術分野】
【０００１】
本発明は、主として、原稿の両面をワンパスで読取可能な画像読取装置に関する。
【背景技術】
【０００２】
従来から、原稿の画像情報を読み取る画像読取装置において、自動原稿搬送装置を備える構成が知られている。自動原稿搬送装置とは、複数枚重ねられた原稿を１枚ずつ分離して搬送を行い、原稿が読取位置を通過するように案内するものである。
【０００３】
この自動原稿搬送装置を備えた画像読取装置において、自動で原稿の両面（第１面及び第２面）を読み取るための様々な構成が知られている。例えば、第１面用と第２面用の２つの読取部を備える構成、及び、原稿の裏表を反転させて再び読取位置を通過させる経路を設けた構成等が知られている。特許文献１は、この後者の構成の画像読取装置を開示する。
【０００４】
特許文献１は、導入された原稿を読取部まで搬送する経路（導入経路）と、両面が読み取られた原稿が外部に向けて搬送される経路（排出経路）と、が一部共通である。そして、この共通の経路から、導入経路と排出経路とに分岐する箇所には、三連ローラが配置されている。
【０００５】
三連ローラは、１つの駆動ローラと、２つの従動ローラと、によって構成されている。この構成により、駆動ローラの個数を減らしてコンパクトな構成が実現できる。
【先行技術文献】
【特許文献】
【０００６】
【特許文献１】特開２０１１−２２５３２８号公報
【発明の概要】
【発明が解決しようとする課題】
【０００７】
ここで、特許文献１のように三連ローラを備える画像読取装置において、三連ローラの一方の従動ローラ及び駆動ローラを利用して原稿の斜行を補正する場合を考える。原稿の斜行を補正する場合、通常は、原稿の先端部を一時的に止めて弛ませ、所定時間後に弛みを除去しつつ搬送する。従って、原稿の斜行を補正する際には、駆動ローラを一時的に停止させる必要がある。
【０００８】
そのため、三連ローラで原稿の斜行を補正している間は、他方の従動ローラを利用して原稿の搬送を行うことができない。従って、三連ローラで原稿の斜行を行う場合は、このような制限が加わるため、原稿の経路を有効に活用することができず、原稿の読取効率（所定時間あたりに読み取れる原稿の枚数）が低下してしまう。
【０００９】
本発明は以上の事情に鑑みてされたものであり、その目的は、三連ローラで原稿の斜行の補正を行う画像読取装置であって、原稿の読取効率が低下することを防止した構成を提供することにある。
【課題を解決するための手段及び効果】
【００１０】
本発明の解決しようとする課題は以上の如くであり、次にこの課題を解決するための手段とその効果を説明する。
【００１１】
本発明の第１の観点によれば、以下の構成の画像読取装置が提供される。即ち、この画像読取装置は、読取部と、駆動ローラと、従動レジストローラと、従動搬送ローラと、を備える。前記読取部は、原稿の第１面及び第２面の読取りを行う。前記駆動ローラは、三連ローラのうちの１つである。前記従動レジストローラは、前記三連ローラのうちの１つであって、前記駆動ローラとともに、原稿をニップした状態で回転することで読取りがされていない原稿を前記読取部へ搬送するとともに、原稿の斜行を補正する。前記従動搬送ローラは、前記三連ローラのうちの１つであって、前記駆動ローラとともに原稿をニップした状態で回転することで、両面が読み取られた原稿を搬送する。前記従動レジストローラ及び前記従動搬送ローラの少なくとも一方は、前記駆動ローラから離れた状態と、前記駆動ローラと接触して従動回転する状態と、に切替可能である。
【００１２】
これにより、２つの従動ローラの一方を駆動ローラから離すことで、駆動ローラの一側と他側とで同時に原稿を搬送することができる。従って、搬送経路を有効に活用することができるので、原稿の読取効率（搬送効率）を向上させることができる。
【００１３】
前記の画像読取装置においては、前記従動レジストローラ及び前記従動搬送ローラのうち、前記従動搬送ローラが、前記駆動ローラから離れた状態と、前記駆動ローラと接触して従動回転する状態と、に切替可能であることが好ましい。
【００１４】
これにより、駆動ローラの一側（レジスト側）で原稿の斜行を補正しつつ、駆動ローラの他側（搬送側）で原稿を搬送することができる。従って、原稿が駆動ローラの搬送側を通過する前に、次の原稿を駆動ローラのレジスト側に供給することができる。従って、原稿の搬送間隔を短くできるので、原稿の読取効率を向上させることができる。
【００１５】
前記の画像読取装置においては、以下の構成とすることが好ましい。即ち、この画像読取装置は、原稿の搬送方向の長さを検出する長さ検出部を備える。前記長さ検出部が検出した原稿の長さが所定以下である場合は、両面が読み取られた原稿の先端が、当該従動搬送ローラの下流のローラにニップされたタイミングで、前記従動搬送ローラを前記駆動ローラから離す。
【００１６】
これにより、短い原稿であっても、従動搬送ローラを利用することにより、原稿を適切に搬送することができる。また、次のローラにニップされたタイミングで従動搬送ローラを駆動ローラから離すため、従動搬送ローラが駆動ローラと接触する時間を最小限にすることができる。従って、長い原稿が次に搬送された場合であっても、読取効率を低下させることなく、原稿を搬送することができる。また、短い原稿用に特別に搬送ローラを設置する必要がなくなるので、コストを低減することができる。
【００１７】
前記の画像読取装置においては、以下の構成とすることが好ましい。即ち、この画像読取装置は、原稿の搬送方向の長さを検出する長さ検出部を備える。前記長さ検出部が検出した原稿の長さが所定以上である場合は、前記従動搬送ローラは、少なくとも当該原稿が通過するまでは、前記駆動ローラから離れた状態にある。
【００１８】
これにより、従動搬送ローラを利用しなくても原稿が搬送できるときには当該従動搬送ローラを駆動ローラから離しておくことができる。従って、従動レジストローラによる原稿の斜行の補正を任意のタイミングで行うことができる。
【００１９】
前記の画像読取装置においては、前記駆動ローラ及び前記従動レジストローラが原稿の斜行を補正している間は、前記従動搬送ローラが前記駆動ローラから離れた状態にあることが好ましい。
【００２０】
これにより、三連ローラのレジスト側の搬送経路において原稿の斜行を補正している場合であっても、搬送側の搬送経路に影響を与えることを防止できる。
【００２１】
本発明の第２の観点によれば、以下の構成の自動原稿搬送装置が提供される。即ち、この自動原稿搬送装置は、駆動ローラと、従動レジストローラと、従動搬送ローラと、を備える。前記駆動ローラは、三連ローラのうちの１つである。前記従動レジストローラは、前記三連ローラのうちの１つであって、前記駆動ローラとともに、原稿をニップした状態で回転することで読取りがされていない原稿を前記読取部へ搬送するとともに、原稿の斜行を補正する。前記従動搬送ローラは、前記三連ローラのうちの１つであって、前記駆動ローラとともに原稿をニップした状態で回転することで、両面が読み取られた原稿を搬送する。前記従動レジストローラ及び前記従動搬送ローラの少なくとも一方は、前記駆動ローラから離れた状態と、前記駆動ローラと接触して従動回転する状態と、を切替可能である。
【００２２】
これにより、２つの従動ローラの一方を駆動ローラから離すことで、駆動ローラの一側と他側とで同時に原稿を搬送することができる。従って、搬送経路を有効に活用することができるので、原稿の搬送効率を向上させることができる。
【図面の簡単な説明】
【００２３】
【図１】本発明の一実施形態に係る複合機の外観斜視図。
【図２】イメージスキャナ装置の構成を示す正面断面図。
【図３】原稿の片面のみを読み取るときの経路を説明する模式図。
【図４】原稿の両面を読み取るときの経路の前半部を説明する模式図。
【図５】原稿の両面を読み取るときの経路の後半部を説明する模式図。
【図６】長い原稿を読み取るときの様子を説明する模式図。
【図７】長い原稿を読み取るときにおいて、次の原稿を繰り込むタイミングを説明する模式図。
【図８】短い原稿を読み取るときの様子を説明する模式図。
【図９】短い原稿を読み取るときにおいて、従動搬送ローラが駆動ローラから離れるタイミングを説明する模式図。
【図１０】従来例における原稿を繰り込むタイミングを説明する模式図。
【発明を実施するための形態】
【００２４】
次に、図面を参照して本発明の実施の形態を説明する。図１は本発明の一実施形態に係る複合機１の外観斜視図である。
【００２５】
複合機１は、コピー機能及びファクシミリ機能を備えており、ブックスキャナ及びオートドキュメントフィードスキャナとして機能するイメージスキャナ装置（画像読取装置）１１を、当該複合機１の上部に備えている。また、複合機１は、コピー部数、ファクシミリ送信先及び原稿読取等を指示するための操作パネル１２を備える。
【００２６】
更に、複合機１は、記録媒体としての用紙に画像を形成する画像形成部等を内蔵した複合機本体１３と、前記用紙を順次供給する給紙カセット１４と、を備えている。なお、複合機本体１３は、通信回線を介して画像情報を伝送するための図略の送受信部等を備える。
【００２７】
次に、図２を参照して、複合機１が備えるイメージスキャナ装置１１について説明する。図２は、イメージスキャナ装置１１の構成を示す正面断面図である。なお、本実施形態における正面図は、搬送される原稿の幅方向で見た図と表現することもできる。
【００２８】
図２に示すように、イメージスキャナ装置１１は、原稿台カバー２１と、プラテンガラス２２と、コンタクトガラス２３と、を備えている。この原稿台カバー２１には自動原稿搬送装置（オートドキュメントフィーダ、ＡＤＦ）２４が備えられている。また、イメージスキャナ装置１１は、プラテンガラス２２及びコンタクトガラス２３の下方に、原稿１００の画像情報を読み取るためのスキャナユニット（読取部）２５を備えている。
【００２９】
スキャナユニット２５は、原稿台の内部で左右方向に移動可能なキャリッジ１１０を備えている。このキャリッジ１１０には、光源１１１と、複数の反射ミラー１１２と、集光レンズ１１３と、電荷結合素子（ＣＣＤ）１１４と、が配置されている。光源１１１は読取原稿に対して光を照射し、読取原稿からの反射光は、複数の反射ミラー１１２で反射した後、集光レンズ１１３を通過して収束してＣＣＤ１１４の表面に結像する。そして、ＣＣＤ１１４は、入射された収束光を電気信号に変換して出力する。
【００３０】
また、前記原稿台カバー２１が備えるＡＤＦ２４は、図２に示すように、当該原稿台カバー２１の上部に設けられた給紙トレイ５２と、この給紙トレイ５２の下方に設けられた排紙トレイ５３と、を備える。また、ＡＤＦ２４の内部には、給紙トレイ５２と排紙トレイ５３とを繋ぐ原稿搬送経路４０が構成されている。
【００３１】
ユーザが図１に示す操作パネル１２を操作して、イメージスキャナ装置１１をオートドキュメントフィードスキャナとして使用するように指示すると、給紙トレイ５２に重ねてセットされた原稿１００が、原稿搬送経路４０に沿って１枚ずつ搬送される。そして、原稿搬送経路４０に沿って搬送される原稿１００がコンタクトガラス２３のガラス面（読取位置）を通過するときに、この原稿１００の画像情報がスキャナユニット２５によって読み取られる。その後、原稿１００は、原稿搬送経路４０に沿って搬送されて、排紙トレイ５３へ排出される。
【００３２】
一方、イメージスキャナ装置１１をブックスキャナとして使用する場合は、読み取るべきブック原稿をユーザがプラテンガラス２２上に載置する。そして、ＡＤＦ２４の下部に配置されたプラテンシート５１によって、ブック原稿を上側から押圧して、動かないように固定する。この状態で、左右方向に移動しながらスキャナユニット２５が読取りを行うことで、ブック原稿の画像情報が読み取られる。
【００３３】
次に、ＡＤＦ２４の内部の構成を詳細に説明する。なお、以下の説明において、正面視でみたときに給紙トレイ５２及び排紙トレイ５３がある側を「トレイ側」と称し、正面視におけるその反対側を「反トレイ側」と称することがある。
【００３４】
本実施形態のＡＤＦ２４は、原稿１００の片面（第１面）のみを読み取るときと、原稿１００の両面（第１面及び第２面）を読み取るときと、で原稿１００の搬送される経路が異なるように構成されている。初めに、原稿１００の片面のみを読み取るときの経路と、その経路に配置される部材について、図２及び図３を参照して説明する。図３は、原稿１００の片面のみを読み取るときに原稿が通る経路を説明する模式図である。
【００３５】
初めに、給紙トレイ５２から読取位置までの経路について説明する。この経路には、上流側から順に、ピックアップローラ３０と、分離ローラ３１と、搬送ローラ３２と、三連ローラ３３と、搬送ローラ３４と、が配置されている。
【００３６】
ピックアップローラ３０は、分離ローラ３１の回転軸を中心にして回動可能に構成されている。おり、ＡＤＦ２４の非動作時においては、図２における上側にピックアップローラ３０が保持されている。一方、原稿１００を繰り込む際はピックアップローラ３０が下方に回動し、給紙トレイ５２に重ねてセットされている原稿１００のうち、最上層にある原稿１００の端部に接触する。この状態でピックアップローラ３０が回転することによって、給紙トレイ５２上の最上層の原稿１００が分離ローラ３１へ搬送される。
【００３７】
ピックアップローラ３０の駆動によって分離ローラ３１へ送られた原稿１００は、回転駆動する分離ローラ３１によって１枚ずつ分離された後に、下流側に配置された搬送ローラ３２によって、三連ローラ３３へ搬送される。
【００３８】
三連ローラ３３は、中央に配置される駆動ローラ３３１と、この駆動ローラ３３１を挟み込むように上下に配置される従動レジストローラ３３２と、従動搬送ローラ３３３と、で構成されている。
【００３９】
従動レジストローラ３３２は、対向する駆動ローラ３３１とともに、搬送されてくる原稿１００の先端部を一時的に止めて弛ませ、所定時間後に弛みを除去しつつ下流側に搬送する。これにより、原稿１００の斜行が矯正される。従動レジストローラ３３２を通過した原稿１００は、下流側に配置された搬送ローラ３４へ搬送される。
【００４０】
なお、駆動ローラ３３１の下方に配置される従動搬送ローラ３３３は、従動レジストローラ３３２と回転方向が逆であり、駆動ローラ３３１と従動搬送ローラ３３３との間を通過する原稿１００をトレイ側へ搬送することができる。また、従動搬送ローラ３３３は、駆動ローラ３３１から離れた位置（従動回転しない位置、離間位置）と、駆動ローラ３３１に接触する位置（従動回転する位置、接触位置）と、に位置を切替可能に構成されている。なお、従動搬送ローラ３３３は、通常は離間位置にあり、図略の制御部等によってソレノイド等を動作させることによって接触位置まで移動することができる。
【００４１】
搬送ローラ３４は、対向するローラとともに原稿１００をニップして回転することで、読取位置側へ搬送する。そして、原稿１００が読取位置を通過するときに、スキャナユニット２５によって第１面の画像情報が読み取られる。なお、この搬送ローラ３４は回転方向を切替可能に構成されており、逆方向に回転することで、原稿１００を上側（三連ローラ３３側）へ搬送することができる。
【００４２】
次に、読取位置から排紙トレイ５３までの経路について説明する。この経路には、上流側から順に、三連ローラ３５と、搬送ローラ３６と、共通ローラ３８及び対向ローラ３９と、が配置されている。
【００４３】
三連ローラ３５は、中央に配置される駆動ローラ３５１と、駆動ローラ３５１を挟み込むように上下に配置される従動ローラ３５２，３５３と、で構成されている。スキャナユニット２５によって画像情報が読み取られた原稿１００は、駆動ローラ３５１及び従動ローラ３５２によって、搬送ローラ３６を経由して、共通ローラ３８へ搬送される。
【００４４】
共通ローラ３８は、対向するように配置された対向ローラ３９とともに原稿１００をニップして回転することで、この原稿１００をトレイ側へ搬送して、排紙トレイ５３に排出する。以上のようにして、給紙トレイ５２にセットされた原稿１００の片面のみの画像情報が読み取られる。なお、この共通ローラ３８は回転方向を切替可能に構成されており、原稿１００の排出を行うときと逆方向に回転することで、原稿１００を左側（読取位置側）へ搬送することができる。
【００４５】
次に、原稿１００の両面を読み取るときの経路について、図２、及び図４及び図５を参照して説明する。図４及び図５は、原稿１００の両面を読み取るときに通る経路を説明する模式図である。
【００４６】
図４に示すように、原稿１００の両面を読み取るときにおいても、原稿１００の片面のみを読み取るときと同様に、給紙トレイ５２にセットされた原稿が読取位置まで搬送される。そして、原稿１００の第１面の画像情報がスキャナユニット２５によって読み取られる。
【００４７】
その後、原稿１００は、三連ローラ３５、搬送ローラ３６、搬送ローラ３７、三連ローラ３５を経由して、再び読取位置へ搬送される。このとき、原稿１００は、このＵ字状の経路に沿って搬送されることで、初めに読取位置を通過したときには第１面が下側を向いていたが、次に読取位置を通過するときには第２面が下側を向くようになる。このようにして、原稿１００の両面が読み取られる。
【００４８】
なお、本実施形態では、原稿を反転させる経路が２種類あり、図４に示す経路だけでなく、より長い経路（共通ローラ３８及び対向ローラ３９を通過する経路）を経て読取位置へ案内される経路が存在する。この経路では、原稿１００は、排出時と逆方向に回転する共通ローラ３８及び対向ローラ３９によって搬送される。例えば原稿１００が長い場合等は、この経路を利用することができる。
【００４９】
また、搬送ローラ３７と三連ローラ３５との間には、長さ検出センサ（長さ検出部）４１が配置されている。長さ検出センサ４１は、搬送される原稿１００の長さを検出するためのものである。この長さ検出センサ４１は、ＡＤＦ２４の各部を制御する図略の制御部に電気的に接続され、原稿１００を検出しているか否かの検出信号を当該制御部に送信可能に構成されている。この制御部は、演算部としてのＣＰＵ、記憶部としてのメモリ等を備えており、前記長さ検出センサ４１の検出信号に基づいて、ＡＤＦ２４の各部（前記ソレノイドや搬送ローラ等）を制御することが可能に構成されている。
【００５０】
そして、第２面が読み取られた原稿１００は、第１面が読み取られたときと逆向きに回転する搬送ローラ３４によって、駆動ローラ３３１と従動搬送ローラ３３３の間を抜けて、搬送ローラ３６へ送られる。原稿１００は、この搬送ローラ３６によって共通ローラ３８へ搬送され、この共通ローラ３８によって排紙トレイ５３へ排出される。以上のようにして、給紙トレイ５２にセットされた原稿１００の両面の画像情報が読み取られる。
【００５１】
次に、図６及び図７を参照して、所定以上の長さの原稿を連続して読み取る場合について説明する。図６及び図７は、１枚目の原稿１００ａを読み込み中に、２枚目の原稿１００ｂを送り込む様子を説明する模式図である。
【００５２】
また、本実施形態では、長さ検出センサ４１の検出結果に応じて、従動搬送ローラ３３３の位置が切り替えられる。具体的には、原稿１００の長さが所定長さ以上の場合は従動搬送ローラ３３３を離間位置に位置させ、原稿の長さが所定長さより短い場合は従動搬送ローラ３３３を接触位置に位置させる。
【００５３】
ここで、所定長さとは、「駆動ローラ３３１及び従動搬送ローラ３３３を利用せずに原稿１００が搬送できる程度の長さ」である。従って、本実施形態における所定長さは、「搬送ローラ３４と搬送ローラ３６との間の距離」を指す。つまり、原稿１００が所定長さよりも長い場合、搬送ローラ３４と搬送ローラ３６により、原稿１００を搬送できる。しかし、原稿１００が所定長さよりも短い場合、三連ローラ３３を利用しないと、搬送ローラ３４と搬送ローラ３６との間で原稿１００が止まってしまう。
【００５４】
ここで、図６及び図７に示す原稿１００ａは所定長さよりも長いものとする。従って、従動搬送ローラ３３３は、前記離間位置にいる状態を維持する。
【００５５】
図６は、原稿１００ａの第１面を読み込んだ後であって、第２面が読み取られる直前の様子を示している。この原稿１００ａは、第２面が読み取られた後に、図５に示すように三連ローラ３３等を経由して排紙トレイ５３へ排出される。
【００５６】
また、イメージスキャナ装置１１では、例えば原稿１００ａの後端が読取位置を通過したタイミングで、次の原稿１００ｂが給紙トレイ５２から供給される。なお、原稿１００ａの位置は、長さ検出センサ４１やスキャナユニット２５等によって検出される。
【００５７】
ここで、従来では、図１０に示すように、従動搬送ローラ３３３が常に駆動ローラ３３１と接触している構成であった。従って、駆動ローラ３３１と従動レジストローラ３３２とで斜行を補正している間は、駆動ローラ３３１と従動搬送ローラ３３３とで原稿の搬送を行うことができなかった。そのため、従来では、最も早く繰込みを行う場合であっても、図１０に示すように、１枚目の原稿１００ａの後端が従動搬送ローラ３３３を通過したタイミングで、原稿１００ｂの前端が従動レジストローラ３３２に達するように搬送を行う。従って、原稿を搬送する間隔が長くなり、原稿の読取効率が低下してしまっていた。
【００５８】
これに対し、本実施形態では従動搬送ローラ３３３が駆動ローラ３３１から離れた状態にあるため、図７に示すように、より早いタイミングで繰込みを行うことができる。このとき、原稿１００ａと原稿１００ｂとが一部重なるようになっている。なお、搬送ローラ３４は、原稿１００ａの搬送と原稿１００ｂの搬送とで回転する方向が異なるため、搬送ローラ３４において２つの原稿が重ならないように回転方向の切替のタイミングを考慮する必要がある。
【００５９】
このように、本実施形態では次の原稿１００ｂを従来よりも早く繰り込むことができるので、原稿の読取効率を向上させることができる。
【００６０】
次に、前記所定長さよりも短い原稿１００が搬送されたときの動作について、図８及び図９を参照して説明する。図８及び図９は、短い原稿を読み取るときにおいて、従動搬送ローラ３３３が駆動ローラ３３１から離れるタイミングを説明する模式図である。
【００６１】
図８及び図９に示す原稿１００ｃは、所定長さよりも短いものとする。長さ検出センサ４１は、原稿１００ｃが所定長さよりも短いことを検出した場合、図略の制御部等へその旨を送信する。そして、制御部は、ソレノイドを動作させることで、従動搬送ローラ３３３を駆動ローラ３３１に接触させる。
【００６２】
これにより、所定長さよりも短い原稿１００ｃであっても、適切に搬送することができる。また、制御部は、図９に示すように、従動搬送ローラ３３３の下流の搬送ローラ３６が原稿１００ｃをニップしたタイミングで、ソレノイドを動作させて従動搬送ローラ３３３を駆動ローラ３３１から離す。このタイミングで駆動ローラ３３１を離間位置に戻すことで、駆動ローラ３３１が接触位置にいる時間を極力短くすることができる。
【００６３】
なお、従動搬送ローラ３３３の位置を切り替えるタイミングは上記に限られない。例えば、従動搬送ローラ３３３及び従動レジストローラ３３２が原稿１００の斜行を補正する処理を行うタイミングで、従動搬送ローラ３３３を離間位置に切り替える構成であっても良い。つまり、斜行の補正中は、駆動ローラ３３１をいったん停止させるため、従動搬送ローラ３３３による原稿１００の搬送が適切に行えない。そのため、このタイミングで従動搬送ローラ３３３を離間位置に切り替えることで、原稿１００の搬送に支障が出ることを確実に防止できる。
【００６４】
以上に説明したように、本実施形態のイメージスキャナ装置１１は、スキャナユニット２５と、三連ローラ３３を構成する、駆動ローラ３３１と、従動レジストローラ３３２と、従動搬送ローラ３３３と、を備える。スキャナユニット２５は、原稿１００の第１面及び第２面の読取りを行う。従動レジストローラ３３２は、駆動ローラ３３１とともに、原稿１００をニップした状態で回転することで読取りがされていない原稿１００をスキャナユニット２５へ搬送するとともに、原稿１００の斜行を補正する。従動搬送ローラ３３３は、駆動ローラ３３１とともに原稿１００をニップした状態で回転することで、両面が読み取られた原稿１００を搬送する。従動搬送ローラ３３３は、駆動ローラ３３１から離れた状態と、駆動ローラ３３１と接触して従動回転する状態と、に切替可能である。
【００６５】
これにより、従動搬送ローラ３３３を駆動ローラ３３１から離すことで、駆動ローラ３３１の一側と他側とで同時に原稿を搬送することができる。従って、搬送経路を有効に活用することができるので、原稿１００の読取効率（搬送効率）を向上させることができる。
【００６６】
以上に本発明の好適な実施の形態を説明したが、上記の構成は例えば以下のように変更することができる。
【００６７】
上記実施形態で説明した原稿搬送経路４０は例示であり、適宜変更することができる。例えば、上記実施形態では、三連ローラ３３から読取位置へ向かう場合と、読取位置から三連ローラ３３へ向かう場合と、で同一の経路を使用する構成であるが、別個の経路を使用する構成であっても良い。また、反転経路は２つ形成しなくても良く、例えば１つであっても良い。
【００６８】
上記実施形態では、従動搬送ローラ３３３を駆動ローラ３３１から離したり接触させたりする構成であるが、従動レジストローラ３３２を３３１から離したり接触させたりする構成であっても良い。
【００６９】
上記実施形態では、従動搬送ローラ３３３は離間位置を待機位置としているが、接触位置が待機位置であっても良い。
【００７０】
従動搬送ローラ３３３を駆動ローラ３３１から離間（又は接触）させる方法としてはソレノイドに限られない。制御部の指示に従って動作する他の部品であっても良いし、搬送される原稿の力を利用して離間させる構成であっても良い。
【００７１】
上記実施形態では、読取部に縮小光学系のスキャナユニット２５を採用しているが、この構成に代えて、読取部として例えば密着型イメージセンサ等を使用する構成に変更することができる。
【００７２】
上記実施形態では、イメージスキャナ装置１１は複合機１の一部として備えられているが、この構成に代えて、単体のイメージスキャナ装置として構成することができる。
【符号の説明】
【００７３】
１１  イメージスキャナ装置（画像読取装置）
２４  ＡＤＦ（自動原稿搬送装置）
２５  スキャナユニット（読取部）
３３  三連ローラ
４０  原稿搬送経路
４１  長さ検出センサ（長さ検出部）
１００  原稿
３３１  駆動ローラ
３３２  従動レジストローラ
３３３  従動搬送ローラ
【図１】
2013227113.tif 000003
【図２】
2013227113.tif 000004
【図３】
2013227113.tif 000005
【図４】
2013227113.tif 000006
【図５】
2013227113.tif 000007
【図６】
2013227113.tif 000008
【図７】
2013227113.tif 000009
【図８】
2013227113.tif 000010
【図９】
2013227113.tif 000011
【図１０】
2013227113.tif 000012